(57)【要約】【課題】圧力検出部を不要として、設置の自由度の高い浴槽水位検出装置を提供することを目的とする。【解決手段】複数の無線式ＩＣタグ１３〜１５とリーダーまたはライター１２を備え、前記無線式ＩＣタグ１３〜１５が水没することにより電波が遮断され、１個もしくは複数の無線式ＩＣタグが水没していることを検出し浴槽の水位を特定するようにしたものである。これにより、設置の自由度の高い浴槽水位検出装置を提供することができる。【選択図】図１
2006098109.tif 000002
【特許請求の範囲】
【請求項１】
所定の周波数帯を使用する識別可能な複数の無線式ＩＣタグと、前記無線式ＩＣタグのリーダーまたはライターを備え、前記複数の無線式ＩＣタグを浴槽内面に垂直方向に配置し、前記無線式ＩＣタグが水没することにより電波が遮断され、１個もしくは複数の無線式ＩＣタグが水没していることを前記リーダーまたはライターで検出し浴槽の水位を特定する浴槽水位検出装置。
【請求項２】
無線式ＩＣタグを浴槽内面に配置する代わりに浴槽と連結し垂直方向に配置された開放管の中に無線式ＩＣタグを垂直方向に配置し、１個もしくは複数の無線式ＩＣタグが水没していることを前記リーダーまたはライターで検出し浴槽の水位を特定する請求項１に記載の浴槽水位検出装置。
【請求項３】
無線式ＩＣタグ自身が水没することに代えて水位に連動した電波遮蔽手段を有し、１個もしくは複数の無線式ＩＣタグが遮蔽されていることを前記リーダーまたはライターで検出し浴槽の水位を特定する請求項１または２に記載の浴槽水位検出装置。
【発明の詳細な説明】
【技術分野】
【０００１】
本発明は、無線式ＩＣタグが水没していることをリーダーまたはライターで検出し浴槽の水位を特定する浴槽水位検出装置に関するものである。
【背景技術】
【０００２】
従来、浴槽の開口部が水没する最低水位を基準として圧力による水位検出を行い設定水位に給湯する水位制御方式が用いられる（例えば、特許文献１参照）。
【特許文献１】特開平０９−３２４９４９号公報
【発明の開示】
【発明が解決しようとする課題】
【０００３】
しかしながら、前記従来の構成では、圧力検出による水位検出精度を上げるための配管内補助給水や圧力検出部の配線が必要であるという課題があった。
【０００４】
本発明は、前記従来の課題を解決するもので、圧力検出部を不要として、設置の自由度の高い浴槽水位検出装置を提供することを目的とする。
【課題を解決するための手段】
【０００５】
前記従来の課題を解決するために、本発明の浴槽水位検出装置は、複数の無線式ＩＣタグとリーダーまたはライターを備え、前記無線式ＩＣタグが水没する事により電波が遮断され、１個もしくは複数の無線式ＩＣタグが水没していることをリーダーまたはライターで検出し特定するようにしたものである。これにより、圧力検出部を不要として、設置の自由度の高い浴槽水位検出装置が提供できる。
【発明の効果】
【０００６】
本発明の浴槽水位検出装置は、圧力検出部を不要として、設置の自由度の高い浴槽水位検出装置が提供できる。
【発明を実施するための最良の形態】
【０００７】
第１の発明は、たとえば２．５ＧＨｚ帯を使用する識別可能な複数の無線式ＩＣタグとリーダーまたはライターを備え、２．５ＧＨｚ帯が水分に吸収されやすい特性を利用し、前記無線式ＩＣタグが水没する事により電波が遮断され、１個もしくは複数の無線式ＩＣタグが水没していることをリーダーまたはライターで検出し特定する浴槽水位検出装置としたことにより、圧力検出部を不要として、設置の自由度の高い浴槽水位検出装置が提供できる。
【０００８】
第２の発明は、特に、第1の発明において、無線式ＩＣタグを浴槽内面に配置する代わりに浴槽と連結し垂直に配置された開放管の中に無線式ＩＣタグを垂直方向に配置したことにより、配置の自由度を大きくしたものである。
【０００９】
第３の発明は、特に、第１，２の発明において、水に代えて電波遮蔽手段を有し、水位の検出をするようにしたことにより、配置の自由度を大きくしたものである。
【００１０】
以下、本発明の実施の形態について、図面を参照しながら説明する。なお、この実施の形態によって本発明が限定されるものではない。
【００１１】
（実施の形態１）
図１は、本発明の実施の形態１における浴槽水位検出装置を示すものである。
【００１２】
図１に示すように、本実施の形態における浴槽水位検出装置は、浴槽１１と、無線式ＩＣタグリーダーまたはライター１２と、複数の無線式ＩＣタグ１３、１４、１５とを備えている。
【００１３】
前記無線式ＩＣタグ１３、１４、１５は前記無線式ＩＣタグリーダーまたはライター１２から放射される無線電波により非接触で給電されると同時に任意の識別データを前記前記無線式ＩＣタグリーダーまたはライター１２と通信している。
【００１４】
以上のように構成された浴槽水位検出装置において、以下その動作、作用を説明する。
【００１５】
まず、定常時には無線式ＩＣタグリーダーまたはライター１２は無線式ＩＣタグ１３、１４、１５の識別データを通信しており無線式ＩＣタグ１３、１４、１５の存在を検出している。次に無線式ＩＣタグ１３が水没した場合、水中の無線式ＩＣタグから発射されている２．５ＧＨｚ帯の電波は水分に吸収される。無線式ＩＣタグリーダーまたはライター１２は無線式ＩＣタグ１３からの識別信号を受信できなくなり無線式ＩＣタグ１３が通信不可能であることを検出する。
【００１６】
なお、本発明の実施の形態においては、無線式ＩＣタグ１３、１４、１５は水没しても以後の動作に支障の無いように防水処理されていなくてはならない。
【００１７】
（実施の形態２）
図２は、本発明の実施の形態２における浴槽水位検出装置の断面図を示すものである。
【００１８】
図に示すように、本実施の形態においては、実施の形態１の無線式ＩＣタグが水没する代わりに電波遮蔽物２２により電波遮蔽されるようにしたものである。浮き２１は電波遮蔽物２２と水面との距離を一定に保持するためのものである。
【００１９】
以上のように構成された浴槽水位検出装置において、以下その動作、作用を説明する。
【００２０】
まず、定常時には無線式ＩＣタグリーダーまたはライター１２は無線式ＩＣタグ１３の識別データを受信しており無線式ＩＣタグ１３の存在を検出している。次に水面が上昇し電波遮蔽物２２が無線式ＩＣタグ１３から発射されている電波を遮蔽する。無線式ＩＣタグリーダーまたはライター１２は無線式ＩＣタグ１３からの識別信号を受信できなくなり無線式ＩＣタグ１３が通信不可能であることを検出する。
【００２１】
なお、本発明の実施の形態においては、電波遮蔽物２２は電波を遮蔽するのに十分必要な任意の大きさでよい。また電波遮蔽物２２は例えば蛇腹としたりして、浴槽の床面から水面までを遮蔽するようにしてもよい。
【００２２】
（実施の形態３）
図３は、本発明の実施の形態３における浴槽水位検出装置の断面図を示すものである。
【００２３】
図に示すように、本実施の形態においては、無線式ＩＣタグを浴槽内面に配置する代わりに浴槽と連結し垂直に配置された開放管３１の中に無線式ＩＣタグを垂直方向に配置したものである。
【００２４】
以上のように構成された浴槽水位検出装置において、以下その動作、作用を説明する。
【００２５】
まず、定常時には無線式ＩＣタグリーダーまたはライター１２は無線式ＩＣタグ１３、１４、１５の識別データを通信しており無線式ＩＣタグ１３、１４、１５の存在を検出している。次に無線式ＩＣタグ１３が水没した場合、無線式ＩＣタグから発射されている２．５ＧＨｚ帯の電波は水分に吸収される。無線式ＩＣタグリーダーまたはライター１２は無線式ＩＣタグ１３からの識別信号を受信できなくなり無線式ＩＣタグ１３が通信不可能であることを検出する。
【００２６】
なお、本発明の実施の形態においては、浴槽１１と開放管３１の配置は任意の距離を確保してよい。
【００２７】
（実施の形態４）
図４は、本発明の実施の形態４における浴槽水位検出装置の断面図を示すものである。
図に示すように、本実施の形態においては、無線式ＩＣタグを浴槽内面に配置する代わりに浴槽と連結し垂直に配置された開放管３１の中に無線式ＩＣタグを垂直方向に配置し無線式ＩＣタグが水没する代わりに電波遮蔽物２２により電波遮蔽されるようにしたものである。浮き２１は電波遮蔽物２２と水面との距離を一定に保持するためのものである。
【００２８】
以上のように構成された浴槽水位検出装置において、以下その動作、作用を説明する。
【００２９】
まず、定常時には無線式ＩＣタグリーダーまたはライター１２は無線式ＩＣタグ１３の識別データを受信しており無線式ＩＣタグ１３の存在を検出している。次に水面が上昇し電波遮蔽物２２が無線式ＩＣタグ１３から発射されている電波を遮蔽する。無線式ＩＣタグリーダーまたはライター１２は無線式ＩＣタグ１３からの識別信号を受信できなくなり無線式ＩＣタグ１３が通信不可能であることを検出する。
【００３０】
なお、本発明の実施の形態においては、浴槽１１と開放管３１の配置は任意の距離を確保してよい。
【００３１】
なお、各実施の形態において、無線式ＩＣタグリーダーまたはライター１２と無線式ＩＣタグ１３、１４、１５との通信が確保できる範囲は約１ｍであり小型のものだけでなく通信が確保できる範囲で大型のものを構成してもよい。
【００３２】
また、無線式ＩＣタグリーダまたはライターを兼用するリーダー／ライターを用いてもよい。無線式ＩＣタグの利用する周波数は２．５ＧＨｚ帯に限らない。
【産業上の利用可能性】
【００３３】
以上のように、本発明における浴槽水位検出装置は、圧力検出部を不要とし、無線式ＩＣタグとそのリーダーまたはライターを任意の位置に配置できるので小型化を要求される水位検出装置全般に適用することができる。
【００３４】
また浴槽に限らず、容器に入った水の水位を測る装置にも利用可能である。
【図面の簡単な説明】
【００３５】
【図１】本発明の実施の形態１における浴槽水位検出装置の断面図
【図２】本発明の実施の形態２における浴槽水位検出装置の断面図
【図３】本発明の実施の形態３における浴槽水位検出装置の断面図
【図４】本発明の実施の形態４における浴槽水位検出装置の断面図
【符号の説明】
【００３６】
１１  浴槽
１２  無線式ＩＣタグリーダーまたはライター
１３  無線式ＩＣタグ１
１４  無線式ＩＣタグ２
１５  無線式ＩＣタグ３
１６  水面
２１  浮き
２２  電波遮蔽物（電波遮蔽手段）
３１  開放管
【図１】
2006098109.tif 000003
【図２】
2006098109.tif 000004
【図３】
2006098109.tif 000005
【図４】
2006098109.tif 000006